(57)【要約】      （修正有）【課題】市販されている２００gの四角いバターを等分にカットし、そのまま収納、保存するバターケースを提供する。【解決手段】バターを等分の大きさに押し切り分ける器具の受皿８上面に切断刃７が通過するスリット１０を挟んで複数の保持部材９を等間隔に立設すると共にスリットの伸びた方向の先端側には受皿上面に立設された保持部材の頂点よりも低い位置に軸受により回動自在に支承された切断刃取り付け枠５を設け、切断刃取り付け枠に固設されたピンにスリットに対応するように切断刃を張り、更に保持部材の頂点を結んだ面が上方に凸となる湾曲上面となっている。【選択図】図１
2013082466.tif 000002
【特許請求の範囲】
【請求項１】
バターを等分の大きさに押し切り分ける器具の受皿上面に切断刃が通過するスリットを挟んで複数の保持部材を等間隔に立設すると共に前記スリットの伸びた方向の先端側には受皿上面に立設された保持部材の頂点よりも低い位置に軸受けにより回動自在に支承された切断刃取り付け枠を設け、該切断刃取り付け枠に固設されたピンに前記スリットに対応するように切断刃を張り、更に前記保持部材の頂点を結んだ面が上方に凸となる湾曲上面であることからなるカッターに蓋を設けたことを特徴とするバターケース。
【発明の詳細な説明】
【技術分野】
【０００１】
本発明は、バターケースの中にバターを等分に押し切り分けるカッターとカットしたバターの保存のためのケースを一体化したバターケースに関するものである。
【背景技術】
【０００２】
従来、保存用バターケースはあった。枠に合わせて包丁でカットするカッティングガイド付きバターケースや市販のバターの大きさのワイヤーで押し切りする物もある。バターを等分に押し切り分ける薄刃の付いた器具とバターが収納できるバターケースもある（特許文献１参照）。しかし、ケースにカッター器具を手間がかからずに付けられているものはなかった。又、ゆで卵を切る卵切り器も知られている（特許文献２参照）。
【先行技術文献】
【特許文献】
【０００３】
【特許文献１】特開２００６-２３２３８９
【特許文献２】特開２００７-２２３０１９
【発明の概要】
【発明が解決しようとする課題】
【０００４】
しかし、従来知られているバターカッターには次のような問題があった。            （イ）切る時に使う包丁やナイフはバターの油でべとべとになる。包丁を洗う手間がかかる。
（ロ）切った後のバターは、バター同士がくっつき安く、切断したバター片がつまみにくい。
（ハ）カットしたバターをケースから取り出すには手でつまむため手が汚れる。
（ニ）カッターを使った場合のカッターの収納場所が必要になる。
本発明はこれらの問題を解決するためになされたものである。
【課題を解決するための手段】
【０００５】
本発明はバターを等分の大きさに押し切り分ける器具の受皿上面に切断刃が通過するスリットを挟んで複数の保持部材を等間隔に立設すると共に前記スリットの伸びた方向の先端側には受皿上面に立設された保持部材の頂点よりも低い位置に軸受により回動自在に支承された切断刃取り付け枠を設け、該切断刃取り付け枠に固設されたピンに前記スリットに対応するように切断刃を張り、更に前記保持部材の頂点を結んだ面が上方に凸となる湾曲上面であることからなるカッターに蓋を設けたことを特徴とするバターケースである。
【発明の効果】
【０００６】
本発明により以下のような効果が生じる。
（イ）受皿の湾曲上面により細いステンレスのワイヤー又はフープにはあまりバターがつくこともなくカット後はそのまま受皿に入るのでカッターを洗う手間が軽減される。瞬時に押し切りするため時間もかからず手は全く汚れない。
（ロ）受皿の底を少し山なりに湾曲させたことにより、カット後のバター同士に少しの隙間ができくっつきを防ぎバター片がつまみ安い。
（ハ）バターの横に突起のついたバターナイフを付けておくことで、これを使ってすぐバ
ターを取ることが出来る。
（ニ）カッター器具はそのまま下皿に蓋をしてバターと冷蔵庫に入れるため、収納場所は
不要。
【発明を実施するための形態】
【０００７】
以下、本発明の実施の形態について図面に基づいて説明する。図１は本発明のカッター付きバターケース１を示す斜視図であ。バターケースは蓋２と下皿３からなり、この内部に図２に示すカッター１５が納められている。この例では、蓋２は透明のプラスティック製であり、内部の状況が見える状態になっている。この蓋２は軸取付けピン４で下皿３に回動自在となるように取り付けられている。この状態で、蓋２は正面側が上下に開くこととなる。蓋２は、軸取付けピン４で取り付けることなく、かぶせる蓋２であっても良い。
【０００８】
図２は本発明のカッターを示す平面図である。
カッター１５は、バターを載せるための受皿８の上面はスリット１０によって仕切られた保持部材９がほぼ平行に一体的に立設されている。バター１４は保持部材９の頂点で受けられ、この頂点は湾曲上面１２となっている。ここで重要なことは、受皿８の上面即ち保持部材９の頂点が切断方向と直交する方向に上方向が凸となるように湾曲した湾曲上面１２となっていることである。即ち、図４に示した湾曲上面１２である。この湾曲上面１２によって、切断刃７で切られたバター片は底面側ではお互いに密着しているが、上面側は隙間ができお互いのバター片は離れた状態となる。
【０００９】
この湾曲上面１２の凸の高さが低すぎると切断後のバター片の離れが悪くなるので少なくとも１ｍｍ以上とし、又、高すぎるとケース自体が大きくなるので上限は１５ｍｍ、望ましくは１０ｍｍとする。切断後のバター片が離れるというこの現象により、切断刃７にかかる力は減少され、又、切断後のバター片のそれぞれは密着しにくいので、バター片をつまみ上げることが容易になる。更に受皿８の上面には、前記スリット１０と対応する位置に切断刃７が取り付けられた切断刃取付け枠５が枠軸受６により回動自在に設けられている。そして、切断しようとするバターを受皿８の上面に載せて、切断刃取付け枠５を枠軸受６により回動させて、図１に示す正面方向に引き下げることで複数の切断されたバター片が一挙に得られる。
【００１０】
又、切断刃７はワイヤーやフープで良く、切断刃取付け枠５への取付けは、ピン１１を設けて、これに係止すると良い。図３は本発明のカッター付きバターケースを示す左側面図である。この図はカッター１５で切断されたバター１４と共に蓋２と下皿３で囲われたバターケース内に収容された状態を示す図である。そして、バター片を取り出す際に用いるナイフ１３をバターケースの背面側に設けた。この例では、受皿８の左右両側にはこの受皿８の底面から立ち上げられた壁が設けられている。これは、バターを切る時バターを支えられるよう左側の壁は右より少し低め１ｃｍ程の高さから緩やかに斜めに右側は２ｃｍ程の高さになり、バター１４はこの両側の壁の内側に収まるようになっている。又、切断刃取付け枠５の手前側の部分にはハンドル状の取っ手を設けると良い。なお、この例では下皿３と受皿８は別体としているが、両者を一体のものとしても良い。
【００１１】
図４は本発明のカッターを示す正面図である。この図はカッター１５で切断刃７と取り付枠５を回動させ、正面方向に引き下げた状態を示す図である。重要なのは受皿８の上面が切断方向を直交する方向に上方向が凸となるように湾曲した湾曲上面１２となっていることである。この湾曲上面１２によって切断刃７で切られたバター片は底面側ではお互いに密着しているが、上面側は隙間ができ、お互いのバター片は離れた状態となることでバターをつまみ出し安くなっている。
【００１２】
図５はナイフを示す正面図である。この図はバターケース背面側に設けたバターナイフの受皿１６に入れるバター片を取り出す際に用いるナイフである。フォーク状の突起が付いており、差してバターを取り出したり、くっついたバターを分け安い形になっている。
（イ）図３に示すように、一般的な市販の２００gバター１４を等分に切り分けるカッ
ター付きバターケースである。これは一般的な市販バター各メーカー縦６ｃｍ、横１２ｃｍとほぼ同サイズである事。この下皿３上にバターの受皿８を設けると共にこの受皿８に細いステンレスのワイヤーの線材を横並列状に配してなる切断刃取付け枠５を回動自在に設ける。この受皿８に線材を挿入可能な図４のように少し湾曲させた受皿の湾曲上面１２にスリット１０を設けるものである。図２に示すように２００gのバターを１片１０gになるように横に１９本のワイヤーを貼ることにより２０分割、２０等分に切り分けられるバターカッター１５を作る。ワイヤーの間隔は０.６ｃｍ、一番両外側のワイヤーとふちの間隔を０.８ｃｍとする。バター１４の切る大きさを変えるためワイヤー間の幅を任意に変えたり、縦にワイヤーを入れても良い。
（ロ）切り分ける切断刃７は細いステンレスの線材又は帯材を使う。
（ハ）受皿８にバター１４を置いて線材が取付けられた切断刃取付け枠５を下ろしゆっくり押し切りする。
(ニ)図４のように受皿を底の中央部をバターの切断方向と直交する方向に５ｍｍほど高
く山なりに湾曲させる。
（ホ）バター１４横にスペースを作りナイフの受皿１６に突起付きバターナイフ１３を置く。
（ヘ）バターカット後はそのまま下皿３に蓋２をして収納する。
【図面の簡単な説明】
【００１３】
【図１】本発明の斜視図
【図２】本発明のカッターの平面図
【図３】本発明の左側面図
【図４】本発明のカッターの正面図
【図５】ナイフの正面図
【産業上の利用可能性】
【００１４】
レストラン等の飲食店、調理学校等バターをよく使用する所で利用できる。
【符号の説明】
【００１５】
１  本発明のカッター付きバターケース
２  蓋
３  下皿
４  蓋取付けピン
５  切断刃取付け枠
６  枠軸受
７  切断刃
８  受皿
９  保持部材
10  スリット
11  ピン
12  湾曲上面
13  ナイフ
14  バター
15  カッター
16  バターナイフの受皿
【図１】
2013082466.tif 000003
【図２】
2013082466.tif 000004
【図３】
2013082466.tif 000005
【図４】
2013082466.tif 000006
【図５】
2013082466.tif 000007